(57)【要約】【課題】低騒音型電線を添線として使用する場合、低騒音型電線が重いと、低騒音型電線を高い張力で架設しなければならず、鉄塔に負担がかかるという問題があり、このために低騒音型電線の軽量化が望まれていた。一方軽量化した場合でも、最外層に形成した突起が、製造時や延線時に変形することが無いような構成とする必要があった。【解決手段】最外層の一部の素線５０の断面形状を同層の他の素線４０と異ならせて外周面に突起を形成した低騒音型電線において、少なくとも外から２層目の素線を、周方向に隙間２５を開けて撚り合わせたセグメント素線３０で構成してなり、該セグメント素線３０はその幅が高さより大きいことを特徴とするものである【選択図】    図１
2004273177.tif 000002
【特許請求の範囲】
【請求項１】
最外層の一部の素線の断面形状を同層の他の素線と異ならせて外周面に突起を形成した低騒音型電線において、少なくとも外から２層目の素線を、周方向に隙間を開けて撚り合わせたセグメント素線で構成してなり、該セグメント素線はその幅が高さより大きいことを特徴とする低騒音型電線。
【請求項２】
最外層の隣接素線は相互に嵌合していることを特徴とする請求項１記載の低騒音型電線。
【請求項３】
セグメント素線間の隙間にセグメント素線より軽量な補強体が介在されていることを特徴とする請求項１または請求項２記載の低騒音型電線。
【発明の詳細な説明】
【０００１】
【発明の属する技術分野】
本発明は、低騒音型電線の改良に関するものである。
【０００２】
【従来の技術】
従来、特許文献１や特許文献２に示すような低騒音型電線が知られている。
これらの低騒音型電線は、最外層の一部の素線の断面形状を同層の他の素線と異ならせて外周面に突起を形成した構造である。この低騒音型電線は、突起によって風の流れを乱し、これによって電線に生じる風騒音を低減させるものである。
【０００３】
ところで、特許文献３に記載されているように、上記の如き低騒音型電線を添線として使用し、これによってコロナ騒音と共に風騒音を防止しようとするものが知られている。
【０００４】
【特許文献１】特開平８−７７８３０号公報
【特許文献２】特開平１０−１９９３３９号公報
【特許文献３】特開平３−１１７３１５号公報
【０００５】
【発明が解決しようとする課題】
しかしながら上記のように、低騒音型電線を添線として使用する場合、低騒音型電線が重いと、低騒音型電線を高い張力で架設しなければならず、鉄塔に負担がかかるという問題がある。このために低騒音型電線の軽量化が望まれていた。一方軽量化した場合でも、最外層に形成した突起が、製造時や延線時に変形することが無いような構成とすることが望まれている。
【０００６】
【課題を解決するための手段】
本発明は、軽量化を図ることができると共に製造時や延線時に突起が変形することの無い低騒音型電線を提供するもので、その構成は、最外層の一部の素線の断面形状を同層の他の素線と異ならせて外周面に突起を形成した低騒音型電線において、少なくとも外から２層目の素線を、周方向に隙間を開けて撚り合わせたセグメント素線で構成してなり、該セグメント素線はその幅が高さより大きいことを特徴とするものである（請求項１）。
【０００７】
上記のように、少なくとも外から２層目の素線を、周方向に隙間を開けて撚り合わせたセグメント素線で構成し、しかも該セグメント素線の幅を高さより大きく構成することにより、軽量化を図ることができると共に最外層の突起の変形を防止することができる。
【０００８】
また、本発明は、少なくとも外から２層目の素線を周方向に隙間を開けて撚り合せたセグメント素線で構成し、しかも該セグメント素線の幅を高さより大きく構成することに加えて、最外層の隣接素線が相互に嵌合していることを特徴とするものである（請求項２）。
【０００９】
このように、最外層の隣接素線を相互に嵌合させると、最外層の突起の変形を確実に防止することができる。
【００１０】
さらに本発明は、セグメント素線間の隙間にセグメント素線より軽量な補強体が介在されていることを特徴とするものである（請求項３）。
【００１１】
このように、セグメント素線間の隙間にセグメント素線より軽量な補強体を介在させておくことによっても、最外層の突起の変形を有効に防止することができる。
【００１２】
【発明の実施の形態】
以下本発明の実施形態を図面を参照して詳細に説明する。
図１は本発明に係る低騒音型電線の一実施形態を示す断面図である。この低騒音型電線は、鋼より線１０の外周に、周方向に隙間１５を開けて１層目のセグメント素線２０を撚り合せ、該セグメント素線２０の外周に、周方向に隙間２５を開けて２層目のセグメント素線３０を撚り合せ、該セグメント素線３０の外周に、高さの異なるセグメント素線４０、５０を撚り合せて最外層を形成したものである。高さの高いセグメント素線５０は１８０°離れた位置に３本ずつ配置されている。周方向に隙間を開けて撚り合わせた２層目のセグメント素線３０は、図２に示すようにその幅Ｗが高さＨより大きく形成されている。セグメント素線２０も、その幅を高さより大きく形成しておくことが好ましい。１層目のセグメント素線２０、２層目のセグメント素線３０および最外層の高さの異なるセグメント素線４０、５０はそれぞれアルミ（アルミ合金を含む）で形成されている。
【００１３】
上記のように、周方向に隙間を開けて１層目のセグメント素線２０と２層目のセグメント素線３０を撚り合わせると、低騒音型電線を軽量にすることができる。また少なくともセグメント素線３０の幅Ｗを高さＨより大きく形成しておくと、製造時や延線時に最外層に形成した突起に力が作用しても、突起は幅の大きなセグメント素線３０で支持されているので変形することが無い。
【００１４】
図３は本発明に係る低騒音型電線の他の実施形態を示すもので、前記実施形態と異なる点は、最外層の隣接素線４０、５０を相互に嵌合した点である。すなわち、最外層の各素線４０，５０に山部６０と谷部７０を形成しておき、該隣接した素線４０，５０の山部６０と谷部７０を嵌合するように撚り合せて最外層を形成したものである。なお、図３において図１と同一部分には同一符号を付して説明を省略する。
【００１５】
このように、最外層の隣接素線４０、５０を相互に嵌合して形成することにより、製造時や延線時に最外層に形成した突起に力が作用しても、突起が変形することが無い。
【００１６】
図４は本発明に係る低騒音型電線の更に他の実施形態を示すもので、図１に示した実施形態と異なる点は、１層目の素線９０として丸型素線を使用すると共に該丸型素線９０間に形成された隙間１５および２層目のセグメント素線３０に形成された隙間２５に、各セグメント素線２０、３０より軽量な補強体８０を介在させた点である。補強体８０としてはアルミパイプが使用されている。なお、補強体８０としては図５に示すように、アルミ線の外周長手方向に溝８１を設けたもの、または図６に示すように、セグメント状のアルミ線の内部を中空８２にしたもの等が使用できる。なお、補強体８０の高さはセグメント素線２０、３０とほぼ同じ高さに形成しておくものである。図４において図１と同一部分には同一符号を付して説明を省略する。
【００１７】
なお上記の実施形態においては、周方向に隙間を開けて撚り合わせた層を２層設けた場合について説明したが、周方向に隙間を開けて撚り合わせた層は、１層または３層以上であってもよい。また周方向に隙間を開けて撚り合わせたセグメント層は、少なくとも外から２層目にあればよく、他の層は、たとえば隙間なくセグメント素線を撚り合わせた層等としてもよくその形状は特に限定するものではない。更に最外層の素線形状も、外周面に突起が形成されたものであればよく特に限定するものではない。セグメント素線等の材質も特に限定するものではない。
【００１８】
【発明の効果】
以上のように、本発明に係る低騒音型電線は、最外層の一部の素線の断面形状を同層の他の素線と異ならせて外周面に突起を形成した低騒音型電線において、少なくとも外から２層目の素線を、周方向に隙間を開けて撚り合わせたセグメント素線で構成し、該セグメント素線の幅を高さより大きく構成したので、軽量化を図ることができると共に最外層の突起の変形を防止することができる。
【００１９】
また、本発明は、最外層の隣接素線を相互に嵌合させたので、最外層の突起の変形を確実に防止することができる。
【００２０】
さらに本発明は、セグメント素線間の隙間にセグメント素線より軽量な補強体を介在したので、最外層の突起の変形を有効に防止することができる。
【図面の簡単な説明】
【図１】本発明に係る低騒音型電線に断面図。
【図２】本発明で使用するセグメント素線の説明図。
【図３】本発明の他の実施形態を示す一部欠載断面図。
【図４】本発明の他の実施形態を示す断面図。
【図５】本発明で使用する補強体の一実施形態を示す断面図。
【図６】本発明で使用する補強体の他の実施形態を示す断面図。
【符号の説明】
１０  鋼心より線
１５、２５  隙間
２０  １層目のセグメント素線
３０  ２層目のセグメント素線
４０、５０  高さの異なるセグメント素線
８０  補強体
【図１】
2004273177.tif 000003
【図２】
2004273177.tif 000004
【図３】
2004273177.tif 000005
【図４】
2004273177.tif 000006
【図５】
2004273177.tif 000007
【図６】
2004273177.tif 000008